(57)【要約】      （修正有）【課題】発光することにより警告機能を高め倒れにくい自動車用三角フレーム警告装置を提供する。【解決手段】三角フレーム積載板１、電源供給装置、脚部３０からなる。該三角フレーム積載板は、該三角警告面１３及び該電源供給装置を積載する板体或いは枠フレーム体で、該脚部は該三角フレーム積載板を地面において直立させる。該三角警告面はEL或いは複数のLEDにより構成する。該電源供給装置は太陽光発電、或いはバッテリー、或いは自動車からの電源により、これらの自動切換え装置を設け、該三角警告面の発光電源を自動的に切り換える。EL、LED共に省エネルギー特性で十分な輝度を有する。ライはAC、DC共に適用可能で、利便性と環境保護特性を具える。【選択図】図１
0003114723.tif 000002
【実用新案登録請求の範囲】
【請求項１】
三角フレーム積載板、電源供給装置、脚部からなり、
該三角フレーム積載板は、板体或いは枠フレーム体で、正面には三角警告面を設け、該三角警告面はEL発光体で構成し、
該電源供給装置は、電力供給装置で、該三角フレーム積載板上に設置し、その回路の両極は該三角警告面のEL発光体と接続し、該三角警告面の発光に要する電力を供給すると共に該三角警告面の発光を制御し、
該脚部は、該三角フレーム積載板下方に設置し、展開時には地面において本体を支え、該三角フレーム積載板の三角警告面を垂直に示すようにしてなることを特徴とする自動車用三角フレーム警告装置。
【請求項２】
前記三角警告面のEL発光体の発光形態は、連続発光或いは点滅発光であることを特徴とする請求項１記載の自動車用三角フレーム警告装置。
【請求項３】
前記電源供給装置は、太陽光発電装置、或いはバッテリー電力供給装置、或いは自動車充電電力供給装置を具えることを特徴とする請求項１記載の自動車用三角フレーム警告装置。
【請求項４】
前記電源供給装置のバッテリー電力供給装置と太陽光電力供給装置間には電源自動切換え装置を設置してなることを特徴とする請求項３記載の自動車用三角フレーム警告装置。
【請求項５】
前記電源供給装置はさらに警報器を設置してなることを特徴とする請求項１記載の自動車用三角フレーム警告装置。
【請求項６】
前記三角フレーム積載板はプラスチック射出方式で一体成型し、上部は三角状板体で下部はコの字型底枠フレームで、前記三角警告面は前記三角状板体の正面に設置し、前記電源供給装置は該コの字型底枠フレームの中空部内に設置することを特徴とする請求項１記載の自動車用三角フレーム警告装置。
【請求項７】
前記脚部はプラスチック射出成型で一体成型したコの字型枠フレーム体で、中央可動軸により前記コの字型底枠フレームのコの字型内部空間に回動可能に設置し、かつ前記脚部の左右片側の脚底面と前記コの字型底枠フレームの左右片側脚底面は面一としてなることを特徴とする請求項１記載の自動車用三角フレーム警告装置。
【請求項８】
前記脚部と前記三角フレーム積載板背面間にはサポートバーを斜めに設置し、かつ該サポートバー一端は前記脚部上表面の凹槽内に嵌入し、反対端は前記三角状板体の背面上に回動可能に設置してなることを特徴とする請求項７記載の自動車用三角フレーム警告装置。
【請求項９】
前記サポートバーは内、外２本のサポートバーを回動可能に接続して構成し、該内サポートバーは回動して折畳まれ、該外サポートバーの中空内部中に嵌入し、こうして該サポートバーは縮小され、前記三角状板体の背面に収納されることを特徴とする請求項８記載の自動車用三角フレーム警告装置。
【請求項１０】
三角フレーム積載板、電源供給装置、脚部からなり、
該三角フレーム積載板は板体或いは枠フレーム体で、正面には三角警告面を設け、該三角警告面は複数のLED発光体を該三角警告面の範囲に配置して構成し、
該電源供給装置は、電力供給装置で、該三角フレーム積載板上に設置して該三角警告面の発光に要する電力を供給すると共に該三角警告面の発光を制御し、
該脚部は、該三角フレーム積載板下方に設置し、展開時には地面において本体を支え、該三角フレーム積載板の三角警告面を垂直に示すことを特徴とする自動車用三角フレーム警告装置。
【考案の詳細な説明】
【技術分野】
【０００１】
本考案は、一種の自動車用三角フレーム警告装置に関する。特にEL (Electro Luminescent )板或いは発光ダイオード（LED）を利用して三角警告面を構成し、多機能電源供給装置により三角警告面が必要とする電源を提供するため、三角警告面は十分な輝度で発光し、警告機能と使用の効果を増強する自動車用三角フレーム警告装置に係る。
【背景技術】
【０００２】
一般に自動車に故障或いは事故が発生した時には、三角フレーム警告装置を自動車後方の地面に置き、或いは開いたトランクに掛けて後続車に警告する。
しかし、公知の三角フレーム警告装置の多くは反射板を三角警告面として利用して反射板の反射作用により警告効果を達成するものであるが、反射板の警告作用は後続車のヘッドライトにより照射、或いは陽光によって照射されて初めて反射効果を生じるものであるため、その反射効果は外的要因により変化せざるを得ない。すなわち後続車のライト或いは陽光が十分でなかったなら（夕方、或いは夜間など）、或いは後続車のヘッドライトがハイビームでなかったなら、反射板の反射作用に大きく影響を与え、三角フレームの機能である警告効果を低下させてしまう。
また公知の三角フレーム警告装置はみな、開放可能な、或いは収納可能な十字型の脚部を付設するが、該公知の脚部の収納状態は理想的でなく、三角フレーム全体の外観に悪影響を与えおり、かつその支持機能も不十分で、地面に立てて使用する時には簡単に倒れてしまう。
【特許文献１】特開２００３−１３７０２４号公報
【考案の開示】
【考案が解決しようとする課題】
【０００３】
公知構造には以下の欠点があった。
すなわちそれは、反射板を三角警告面として利用するが、反射板の警告作用は後続車のヘッドライト、或いは陽光による照射に頼るため、その反射効果は外的要因により変化せざるを得ず、警告効果が不安定で、
また公知の三角フレーム警告装置は開放可能な、或いは収納可能な十字型の脚部を付設するが、その脚部の収納状態は理想的でなく、三角フレーム全体の外観に悪影響を与えおり、かつその支持機能も不十分で、地面に立てて使用する時には簡単に倒れてしまう。
本考案は上記構造の問題点を解決した自動車用三角フレーム警告装置を提供するものである。
【課題を解決するための手段】
【０００４】
上記課題を解決するため、本考案は下記の自動車用三角フレーム警告装置を提供する。
それは主に三角フレーム警告装置を提供し、該三角フレーム警告装置はEL板或いは複数のLEDを利用し三角警告面を構成し、公知の反射板の代用となし、十分な発光輝度で良好な警告機能を達成し、使用寿命と安全性を増進し、
さらにそれは、太陽光電力供給装置、或いはバッテリー電力供給装置、或いは自動車充電電力供給装置を具えた電源供給装置を利用し、EL板或いは複数のLEDにより構成する三角警告面の発光に要する電力を随時提供し、使用の利便性を強化し、
加えてそれは、警報器を設置し、電源供給装置の電力を利用し、該三角警告面が発光し警告する時、同時にブザー音を発し、警告効果を増強し、
またその電源供給装置は太陽光電力供給装置、或いはバッテリー電力供給装置、或いは自動車充電電力供給装置間に自動切換え装置を設置し、使用状況に応じて、該三角警告面の発光に要する電源を自動的に切り換え、節電と環境保護機能を達成し、
さらにそれは、三角フレーム積載板に対応し収納式脚部を設置し、伸縮式サポートバーを利用し、該三角フレーム積載板背面と展開した脚部間において支持し、該三角フレーム積載板が地面に直立時に倒れにくくすることを特徴とする自動車用三角フレーム警告装置である。
【考案の効果】
【０００５】
上記のように、本考案の使用時には三角警告面はEL式或いはLED式発光を利用するため、節電効果を具え、かつ安全で発光輝度が強力であるという機能を発揮し、極めて良好な警告効果を達成する。よって公知の反射光板式三角警告板の欠点を完全に改善し、利便性と環境保護性能を兼備えている。
【考案を実施するための最良の形態】
【０００６】
図１、２、３に示すように、三角フレーム警告装置１は、三角フレーム積載板１０、電源供給装置２０、脚部３０を含む。
該三角フレーム積載板１０は、プラスチック射出成型で一体成型され、形状に制限はない。但し、図に示すように上部は三角状板体１１で下部はコの字型底枠フレーム１２が最適である。該三角フレーム積載板１０上部の三角状板体１１の正面には三角警告面１３を設け、該三角警告面１３の中央部には別に「！」方警告面１３aを増設することができる。
該三角警告面１３、１３aはELを利用し、図１に示す構造からなり、或いは複数のLEDを該三角警告面１３に配置して（図示なし）構成する。ELは一種の蛍光体材料を二枚の電極間に挟んだもので、交流バイアス電磁場を加えると、蛍光体は衝撃を受け発光するが、発熱しないため「冷光」と呼ばれる。ELは軽量で、薄く、かつ多種の色彩に形成することができ、しかもEL或いはLED発光体及び装置は節電効果が高く、安全で発光輝度が十分である。
該EL式三角警告面１３の製作は、プリント方式により行い、EL材料を直接該三角状板体１１の正面にプリントして形成するか、或いは先ず三角形状の薄層板をプリント生産し、該三角状板体１１の正面上に接着して形成し、量産化する。該三角状板体１１上には数個の穿孔１４を形成し、風圧による圧力を減少させる。
【０００７】
該三角フレーム積載板１０下部のコの字型底枠フレーム１２は、該三角状板体１１の底辺上に設置され、該コの字型底枠フレーム１２内部には左右両側に中空部１５及び中央中空部１６を設置する。該左右両側の中空部１５内には、鉄の塊などの重り４０を収容し、該三角フレーム積載板１０直立時の支持強度を高めることができる。該中央中空部１６は該電源供給装置２０の設置空間とし、該コの字型底枠フレーム１２外には別に外蓋を設置して閉塞し、該外蓋上には開口面を設置することもできる。
【０００８】
該電源供給装置２０は、陽電池、バッテリー、或いは自動車充電により電源を供給し、交流（AC）と直流（DC）充電機能を兼備える。その全体構造は太陽電池、バッテリー、或いは自動車充電などの関連回路（回路板など）及び自動車用充電/サプライ装置２１、一般充電/サプライ装置２２、或いは電池収容ボックスなどの装置を含む。これらはすべて該コの字型底枠フレーム１２の中央中空部１６内に収容されるが、太陽エネルギー板２３は該コの字型底枠フレーム１２表面上の図示の位置など外部に設置され、太陽エネルギーを摂取し電気エネルギーに転換する。
該電源供給装置２０の電力供給装置の回路の両極はEL 式或いはLED式の三角警告面１３と接続し、電力を供給し、該三角警告面１３を発光させる。該三角警告面１３は該電源供給装置２０の制御回路により発光或いは点滅発光する。
該太陽電池、該バッテリー、或いは該自動車充電による電力供給装置は、回路或いは制御回路などに電気的に接続するが、公知の技術であるためここでは詳述しない。
該電源供給装置２０中の該自動車用充電/サプライ装置２１、該一般充電/サプライ装置２２と該太陽エネルギー板２３間には自動切換え装置を設置する。これにより本考案は使用において、該太陽エネルギー板２３が十分な電力を発生させ、該三角警告面１３を発光させられる時には、該太陽エネルギー板２３に自動的に切り換え、該自動車用充電/サプライ装置２１と該一般充電/サプライ装置２２をオフとする。一方、夕方或いは夜間など、該太陽エネルギー板２３の電力が十分でない時には、該自動車用充電/サプライ装置２１或いは該一般充電/サプライ装置２２に自動的に切り換え、バッテリーの節電を達成する。
さらに該コの字型底枠フレーム１２の中央中空部１６内には警報器（図示なし）を設置し、該三角警告面１３が警告のため発光する時、該警報器は該電源供給装置２０の電力によりブザー音を発し、警告効果を増強することができる。
【０００９】
次に図４、５、６に示すように、本考案の脚部３０は該三角フレーム積載板１０の設計に対応し、プラスチック射出成型により一体成型されたコの字型枠フレーム体で、可動軸３１により該コの字型底枠フレーム１２のコの字型内部空間中に収納可能に設置する。また該コの字型脚部３０の左右脚の底面は該コの字型底枠フレーム１２の左右客底面と面一である。
該コの字型脚部３０の収納時には、該コの字型底枠フレーム１２のコの字型空間中に収納可能で、該三角フレーム警告装置１の全体的外観に影響を与えることはない。
該コの字型脚部３０の展開時には、該コの字型底枠フレーム１２と十字型垂直交差状態を形成し、安定して直立して使用される。
また該脚部３０の片側の脚上表面には凹槽３２を設置し、サポートバー３３の底端が嵌入可能とする。該サポートバー３３の上端は可動軸３５により該三角状板体１１の背面の適当な位置に接続する。
該コの字型脚部３０の展開時には、該サポートバー３３は該三角状板体１１背面と該脚部３０の片側の脚間において支え、こうして該三角フレーム積載板１０と該脚部３０組合せ体全体の強度と支持の堅固性を強化することができる。これにより強風に対しても容易に倒れることはなくなる。
該サポートバー３３は内サポートバー３３aと中空の外サポートバー３３b、両者間の可動軸３４の二段式構造に構成可能で、該内サポートバー３３aは該可動軸３４により回転して折畳まれ、該外サポートバー３３bの中空内部中に嵌入する。こうして該サポートバー３３は縮小され、該三角状板体１１の背面に密着する。
また可動軸３５下方の適当な位置には係合フック３６を設置し、該サポートバー３３を折畳み収納後に係合固定し、伸長サポートと縮小収納の目的を達成することができる。
【００１０】
使用時には図７、８に示すように、本考案の三角警告面１３はEL或いはLED発光体を利用するため、節電効果を具え、かつ安全で発光輝度が強力であるという機能を発揮し、極めて良好な警告効果を達成する。すなわち公知の反射光板式三角警告板の欠点を完全に改善し、利便性と環境保護性能を兼備えている。
【図面の簡単な説明】
【００１１】
【図１】本考案実施例の前面立体図である。
【図２】図１の背面立体図である。
【図３】図２の背面局部平面断面図である。
【図４】図１中の脚部を展開した状態の前面立体図である。
【図５】図２中の脚部及びサポートバーを展開した状態の背面立体図である。
【図６】図５中で使用するサポートバーの背面立体図である。
【図７】本考案を開放したトランクに掛けた使用状態の指示図である。
【図８】本考案を自動車後方の地面に置いた使用状態の指示図である。
【符号の説明】
【００１２】
１  三角フレーム警告装置
１０  三角フレーム積載板
１１  三角状板体
１２  コの字型底枠フレーム
１３  警告面
１３a  警告面
１４  穿孔
１５  中空部
１６  中央中空部
２０  電源供給装置
２１  自動車用充電/サプライ装置
２２  充電/サプライ装置
２３  太陽エネルギー板
３０  脚部
３１  可動軸
３２  凹槽
３３  サポートバー
３４  可動軸
３５  可動軸
３３a  内サポートバー
３３b  外サポートバー
３６  係合フック
４０  重り
【図１】
0003114723.tif 000003
【図２】
0003114723.tif 000004
【図３】
0003114723.tif 000005
【図４】
0003114723.tif 000006
【図５】
0003114723.tif 000007
【図６】
0003114723.tif 000008
【図７】
0003114723.tif 000009
【図８】
0003114723.tif 000010